(57)【特許請求の範囲】
【請求項１】
複数の保護パネルを並設して斜面を形成するとともに、その斜面を形成する前記保護パネル内に充填材を充填して斜面を有する構造物を構築する斜面構造物の構築方法であって、
並設された複数の前記保護パネルの上端付近に横方向に間隔をあけて複数の支持金具を固定する支持金具固定工程と、前記保護パネルの上端に沿って複数の単管パイプを連接して前記支持金具間に架け渡して固定する単管パイプ架設工程と、連接した前記単管パイプに複数の足場ブラケットを掛け止めるとともに、これらの足場ブラケット間に足場板を架け渡してブラケット足場を仮設するブラケット足場仮設工程と、このブラケット足場を利用して前記保護パネルの上端に沿って上方へ延伸する型枠を設置する型枠設置工程と、前記充填材の天端を雨水の浸食から保護する天端コンクリートを構築するために前記型枠内にコンクリートを打設する天端コンクリート打設工程と、を備えること
を特徴とする斜面構造物の構築方法。
【請求項２】
前記支持金具固定工程では、複数の前記保護パネルの上端を覆って、上面に平面を有する鋼材からなる堤冠材を設置し、その堤冠材から下方へ突設された平鋼板と前記保護パネルを貫通して前記支持金具を固定すること
を特徴とする請求項１に記載の斜面構造物の構築方法。
【請求項３】
前記ブラケット足場仮設工程では、前記足場ブラケットの先端側に落下防止用の手摺を設置すること
を特徴とする請求項１又は２に記載の斜面構造物の構築方法。
【請求項４】
前記保護パネルとして、曲げ剛性を強化するため屈曲加工されたスチールパネルが使用されていること
を特徴とする請求項１ないし３のいずれかに記載の斜面構造物の構築方法。
【請求項５】
前記充填材として、土砂に固化材を混ぜ合わせたソイルセメントが使用されていること
を特徴とする請求項１ないし４のいずれかに記載の斜面構造物の構築方法。
【発明の詳細な説明】
【技術分野】
【０００１】
本発明は、複数の保護パネルを並設して斜面を形成するとともに、その斜面を形成する保護パネル内に充填材を充填して斜面構造物を構築する斜面構造物の構築方法に関する。
【背景技術】
【０００２】
従来、堰堤や擁壁などの斜面を有する土木構造物（斜面構造物）は、コンクリートを打設して構築されるコンクリート構造物が一般的であった。例えば、特許文献１には、鋼矢板をコンクリート型枠兼用の外壁材として用い、その内側へコンクリートを充填して構築する土木構造物の構築方法が開示されている（特許文献１の特許請求の範囲の請求項１、明細書の段落［００１８］、図面の図１等参照）。
【０００３】
しかし、近年、地山を掘削してこれらの構造物を構築する場合、掘削により発生する土砂を運搬する運搬費や仮置き廃棄などに掛かる処分費などの費用が嵩むことや環境破壊につながることなどの理由から極力発生する土砂を少なくするため、複数の保護パネルを並設して斜面を形成するとともに、掘削により発生した土砂とセメントミルクなどを混ぜ合わせたソイルセメントを、斜面を形成する保護パネル内に充填しての斜面構造物を構築する斜面構造物の構築方法が提案されている。
【０００４】
例えば、特許文献２には、堰堤本体の上流側面と下流側面を外部保護材で被覆してなる砂防堰堤を施工する砂防堰堤の施工方法であって、前記外部保護材の下端部を支持する基礎均しコンクリートを形成する工程と、該基礎均しコンクリートの上に前記外部保護材を組み立てる工程と、前記外部保護材と地山との間に間詰めを形成する工程と、前記外部保護材の間に内部材（ソイルセメント）を打設する工程と、を備えた砂防堰堤の施工方法が開示されている（特許文献２の特許請求の範囲の請求項７、明細書の段落［００４０］〜［００４９］、図面の図７、図９等参照）。
【０００５】
しかし、特許文献２に記載の砂防堰堤の施工方法などの従来の砂防堰堤の施工方法では、堰堤本体１２の天端に保護コンクリート２８を打設する際に、保護コンクリート２８を打設する前の堰堤の天面に単管パイプ等からなる支柱を打ち込んで落下防止用の手摺や柵を設置し、設置した手摺や柵に安全帯を掛け止めて保護コンクリート２８用の型枠を建て込んでいた。このため、コンクリート打設後に手摺や柵の支柱を引き抜き又は切断して、再度、支柱があった孔をコンクリート等で埋めるなどの出戻り作業が発生しており、作業効率が悪いという問題があった。
【０００６】
また、保護コンクリート２８用の型枠を建て込む際も、コンクリートを打設する面の外側から作業することができず、型枠を組み立てる作業の作業効率も悪いという問題があった。なお、斜面である外部保護材上に従来の枠組み足場や単管足場等を組むことは不可能ではなかったが、順次建て込まれていく外部保護材上に、短時間で効率よく足場を設置することが困難であり、殆ど実施されてはいなかった。
【先行技術文献】
【特許文献】
【０００７】
【特許文献１】特開２００２−２１２９３３号公報
【特許文献２】特開２０１４−１９０１００号公報
【発明の概要】
【発明が解決しようとする課題】
【０００８】
そこで、本発明は、前述した問題に鑑みて案出されたものであり、その目的とするところは、短時間で効率よく斜面構造物を構築することが可能な斜面構造物の構築方法を提供することにある。
【課題を解決するための手段】
【０００９】
第１発明に係る斜面構造物の構築方法は、複数の保護パネルを並設して斜面を形成するとともに、その斜面を形成する前記保護パネル内に充填材を充填して斜面を有する構造物を構築する斜面構造物の構築方法であって、並設された複数の前記保護パネルの上端付近に横方向に間隔をあけて複数の支持金具を固定する支持金具固定工程と、前記保護パネルの上端に沿って複数の単管パイプを連接して前記支持金具間に架け渡して固定する単管パイプ架設工程と、連接した前記単管パイプに複数の足場ブラケットを掛け止めるとともに、これらの足場ブラケット間に足場板を架け渡してブラケット足場を仮設するブラケット足場仮設工程と、このブラケット足場を利用して前記保護パネルの上端に沿って上方へ延伸する型枠を設置する型枠設置工程と、前記充填材の天端を雨水の浸食から保護する天端コンクリートを構築するために前記型枠内にコンクリートを打設する天端コンクリート打設工程と、を備えることを特徴とする。
【００１０】
第２発明に係る斜面構造物の構築方法は、第１発明において、前記支持金具固定工程では、複数の前記保護パネルの上端を覆って、上面に平面を有する鋼材からなる堤冠材を設置し、その堤冠材から下方へ突設された平鋼板と前記保護パネルを貫通して前記支持金具を固定することを特徴とする。
【００１１】
第３発明に係る斜面構造物の構築方法は、第１発明又は第２発明において、前記ブラケット足場仮設工程では、前記足場ブラケットの先端側に落下防止用の手摺を設置することを特徴とする。
【００１２】
第４発明に係る斜面構造物の構築方法は、第１発明ないし第３発明のいずれかの発明において、前記保護パネルとして、曲げ剛性を強化するため屈曲加工されたスチールパネルが使用されていることを特徴とする。
【００１３】
第５発明に係る斜面構造物の構築方法は、第１発明ないし第４発明のいずれかの発明において、前記充填材として、土砂に固化材を混ぜ合わせたソイルセメントが使用されていることを特徴とする。
【発明の効果】
【００１４】
第１発明〜第５発明によれば、斜面を形成する保護パネルの上端に沿ってブラケット足場を短時間で効率よく組むことができるうえ、そのブラケット足場を作業スペースとして利用して天端コンクリートの型枠を斜面の外側から保護パネルに沿って建て込むことができる。このため、天端コンクリートの型枠設置、コンクリートの打設、その型枠の撤去、及び足場や手摺の仮設資材の撤去の作業を極めて効率よく行うことができる。よって、斜面構造物の構築作業全体の作業時間を短縮して斜面構造物の設置費用を大幅に削減することができる。また、ブラケット足場を天端コンクリートの打設時の通路や養生シートを括り付ける先として使用することができ、天端コンクリートの打設及び養生時の利便性が向上する。
【００１５】
特に、第２発明によれば、上面に平面を有する堤冠材を設置するので、その後の天端コンクリートの型枠設置作業がより効率よくスムーズに行うことができ、結果的に、型枠設置作業を短時間で行うことができる。このため、斜面構造物の設置費用をさらに削減することができる。
【００１６】
特に、第３発明によれば、落下防止用の手摺を設置するので、作業中の落下の危険が低減するだけでなく、足場ブラケットの先端側、即ち、従来の手摺とは違う位置である天端コンクリートの型枠を設置する側ではない側に落下防止用の手摺があるので、型枠を建て込む際に邪魔にならず、さらに型枠設置作業を効率よく行うことができる。
【００１７】
特に、第４発明によれば、保護パネルとして曲げ剛性を強化するため屈曲加工されたスチールパネルを使用するので、必要強度の割に軽量で安価なスチールパネルを使用することで、材料費を低減することができるだけでなく、保護パネルを設置する際に使用するクレーン等の揚重機のサイズダウンにより斜面構造物の設置費用をさらに削減することができる。さらに、１枚１枚運ぶことにより人力で揚重及び取り付け作業を行うことも可能となる。
【００１８】
特に、第５発明によれば、充填材として土砂に固化材を混ぜ合わせたソイルセメントを使用するので、掘削により発生する土砂を運搬する運搬費やその土砂の処分費などの費用を低減することができる。また、環境破壊も防止することができる。
【図面の簡単な説明】
【００１９】
【図１】本発明の実施形態に係る斜面構造物の構築方法により構築する斜面構造物を谷（沢）の上流側から見た斜視図である。
【図２】同上の斜面構造物の構成を示す鉛直断面図である。
【図３】同上の斜面構造物の構成を説明するため充填材が未充填の状態を下流側から一部を切断して示す斜視図である。
【図４】同上の斜面構造物の上流側斜面体の構成を主に示す裏面斜視図である。
【図５】同上の上流側斜面体を構成する鋼矢板を示す図面であり、Ａ図が鋼矢板の長手方向を縦に配置した正面図、Ｂ図が鋼矢板の長手方向の上端面である小口を示す平面図である。
【図６】図４の上流側斜面体の一段目の鋼矢板を設置した状態を示す斜視図である。
【図７】図２の斜面構造物の下流側斜面体の構成を主に示す裏面斜視図である。
【図８】同上の下流側斜面体を構成するコンクリートパネルを示す図面であり、Ａ図がコンクリートパネルの長手方向を横に配置した正面図、Ｂ図が鋼矢板の長手方向の右端面である小口を示す右側面図である。
【図９】同上のコンクリートパネルの他の実施形態を示す図面であり、Ａ図がコンクリートパネルの長手方向を横にした正面図、Ｂ図が鋼矢板の長手方向の右端面である小口を示す右側面図である。
【図１０】同上の斜面構造物の施工途中を下流側斜面体の裏面側から見た状態を示す斜視図である。
【図１１】本発明の実施形態に係る斜面構造物の構築方法に用いるブラケット足場を示す鉛直断面図である。
【図１２】図３の斜面構造物の上流側斜面の上部の一部を拡大して同上のブラケット足場の支持構造を主に示す鉛直断面図である。
【図１３】同上の上流側斜面の上部を拡大して示す立面図である。
【図１４】同上の上流側斜面の上部を拡大して示す平面図である。
【図１５】図１１の足場ブラケットを示す側面図である。
【図１６】同上の足場ブラケットの先端に装着する図１１の手摺を示す側面図である。
【図１７】本発明の実施形態に係る斜面構造物の構築方法のフローチャートである。
【発明を実施するための形態】
【００２０】
以下、本発明の実施形態に係る斜面構造物の構築方法について、図面を参照しながら詳細に説明する。
【００２１】
［斜面構造物の構成］
先ず、図１〜図１０を用いて、本発明の実施形態に係る斜面構造物の構築方法で構築する斜面構造物の構成について説明する。図１に示すように、実施形態に係る斜面構造物として、谷（沢）に土石流を防ぐために設けられる砂防堰堤を例に挙げて説明する。
【００２２】
本実施形態に係る斜面構造物である砂防堰堤１は、図１等に示すように、谷（沢）を流れる河川を堰き止めるように鉛直断面が概略台形状の堤体１０が築造されたソイルセメント重力式の不透過型の砂防堰堤であり、河川の中央付近に下流域に水を流す越流部１１が設けられている。
【００２３】
この砂防堰堤１は、図２に示すように、堤体１０の内部を構成する内部材である充填材２と、堤体１０の外側表面を覆って保護する上流側斜面体３及び下流側斜面体４と、堤体１０の頂部の天端面を覆って保護するキャッピングコンクリートである天端コンクリート５など、から構成されている。
【００２４】
＜充填材＞
本実施形態に係る充填材２は、いわゆるソイルセメントであり、現地において掘削等で発生した発生土砂と固化材とが撹拌混合されたうえ、上流側斜面体３と下流側斜面体４の間に充填される。この充填材２は、発生土砂に含まれる水分と固化材のセメント成分との水和反応により水和物が土砂の粒子を包含しつつ固化することで堤体１０の所定形状を安定的に維持するとともに、堤体１０の大部分の重量を占め土石流にその重量で対抗する機能を有している。
【００２５】
発生土砂は、ふるいにかけて粒度が調整されるとともに、含水比が測定されて固化材の配合が決定される。充填材２には、必要に応じてクラッシャーラン等を混入してもよい。
【００２６】
本実施形態に係る固化材は、安価であり、化学反応により発生する熱量が比較的少ないためセメント系の固化材が用いられている。しかし、本発明に係る固化材は、石灰系の固化材でも良いし、発生土砂に応じて特殊土用固化材や高分子凝集剤なども使用可能である。要するに、本発明に係る固化材は、発生土砂の粒子を包み込んで固化するものであれば適用可能である。
【００２７】
以上、本実施形態に係る充填材２としてソイルセメントを例示したが、本発明に係る充填材は、土石流に対抗できる重量があればよいので、土砂だけを使用することも可能である。また、施工費が高くなるが、特許文献１に記載された発明のように、充填材としてコンクリートを打設しても構わない。
【００２８】
このように、本実施形態に係る充填材２としてソイルセメントを使用するので、掘削により発生する発生土砂を運搬する運搬費やその土砂の処分費などの費用を低減することができる。また、環境破壊も防止することができる。
【００２９】
＜上流側斜面体＞
砂防堰堤１の上流側斜面体３は、図３、図４に示すように、外側表面を覆って保護する複数枚の保護パネル３０と、これらの保護パネル３０の脚部が撓まないように支持する１条の基礎梁３１と、この基礎梁３１に取り付けられ上流側斜面体３が所定の傾斜角度となるように支持する複数個のアングル材３２と、保護パネル３０の腹部が撓まないように支持する複数段の腹起し材３３と、保護パネル３０の上端に沿って設けられる１条の堤冠材３４など、から構成されている。
【００３０】
（保護パネル）
土石流の衝撃荷重に耐え得る強度が要求されることと、人力で運搬取り付けが可能な重量であることなどの理由から、上流側斜面体３に用いられる本実施形態に係る保護パネル３０には、図５に示す軽量鋼矢板が採用されている。この軽量鋼矢板は、一般構造用圧延鋼材（SS400）からなる厚さ４ｍｍの軽量鋼矢板であり、防錆のため外表面に塗装が施されている。
【００３１】
この保護パネル３０は、図６等に示すように、長手方向の端部が揃って強度的な弱点ができないように上下端が互い違いにずれた馬貼り状に、且つ、凸面と凹面とが交互になるように取り付けられている。保護パネル３０同士の接合は、図５Ｂに示した軽量鋼矢板の短手方向の端部（左右の縁）同士を対称に掛け止めて、左右にズレないように接合されている。
【００３２】
勿論、この保護パネルには、軽量鋼矢板以外であっても曲げ剛性を高めるため屈曲加工されたデッキプレートや波板鋼板などの他のスチールパネルも好適に用いることができる。保護パネルとして必要強度の割に軽量で安価なスチールパネルを使用することで、材料費を低減することができるだけでなく、保護パネルを設置する際に使用するクレーン等の揚重機のサイズダウンにより斜面構造物の設置費用をさらに削減することができる。さらに、１枚１枚運ぶことにより人力で揚重及び取り付け作業を行うことも可能となる。
【００３３】
但し、この保護パネルには、所望の強度を有するものであれば、樹脂パネルなど鋼材以外からなるパネル材を採用することも可能である。
【００３４】
（基礎梁）
基礎梁３１は、防錆のため外表面に塗装が施された一般構造用圧延鋼材（SS400）からなる溝形鋼（125×65×6×8）であり、図６等に示すように、後述のアングル材３２及び鉄筋コンクリートからなる基礎均しコンクリートＦ１に固定されている。また、基礎梁３１同士の連結は、基礎梁３１の端部同士を突き合わせて、それらを山形鋼（L-65×65×6）からなる接合アングルで連結・接合している。
【００３５】
（アングル材）
アングル材３２は、防錆のため外表面に塗装が施された一般構造用圧延鋼材（SS400）からなる山形鋼（L-65×65×6）が三角形状に組み合わされた部材であり、保護パネル３０に沿った柱材３２ａと、基礎均しコンクリートＦ１に沿って取り付けられるつなぎ材３２ｂと、これら柱材３２ａとつなぎ材３２ｂとを繋ぐ斜材であるサポート材３２ｃなどから構成されている。また、アングル材３２は、つなぎ材３２ｂが基礎均しコンクリートＦ１にアンカーボルトで固定されることで、上流側斜面体３を基礎均しコンクリートＦ１上に所定角度で据え付ける機能を有している。
【００３６】
（腹起し材）
腹起し材３３は、防錆のため外表面に塗装が施された一般構造用圧延鋼材（SS400）からなる山形鋼（L-75×75×6）からなり、図示形態では、４段に亘って設けられている。この腹起し材３３は、保護パネル３０を止め付けて、保護パネル３０が上流側へ膨らんだり、下流側へ凹んだりすることを防ぐ機能を有している。また、腹起し材３３同士の連結は、腹起し材３３の端部同士を突き合わせて、それらを厚さ６ｍｍの帯鋼（PL-6×119×513.4）からなる接合プレートで連結・接合している。
【００３７】
（アンカー材）
また、この腹起し材３３には、図４等に示すように、D19の異形鉄筋（SD295）の先端に曲げ加工によりフックが形成されたアンカー材３５が、所定間隔毎に充填材２の内部へ向け突設されている。このアンカー材３５は、腹起し材３３を充填材２に定着させて腹起し材３３ごと複数枚の保護パネル３０の連結体が外部（上流側）へ膨らむことを防止する機能を有している。
【００３８】
（堤冠材）
堤冠材３４は、防錆のため外表面に塗装が施された一般構造用圧延鋼材（SS400）からなる溝形鋼（125×65×6×8）であり、保護パネル３０の上端を覆って上流側斜面体３全体の上端の曲げ強度を高める機能を有している。なお、この堤冠材３４については、後で詳述する。
【００３９】
＜下流側斜面体＞
砂防堰堤１の下流側斜面体４は、図３、図７に示すように、外側表面を覆って保護する複数枚の保護パネル４０と、これらの保護パネル４０の左右両端の脚部を所定の傾斜角度に固定する複数個の支持アングル４１と、保護パネル４０同士を上下に連結する複数個の上下連結材４２と、保護パネル４０同士を左右に連結する左右連結材である複数枚のペーシー４３など、から構成されている。
【００４０】
（保護パネル）
土石流の直撃は考えにくいこと、及び下流域からも常に見渡せる面であることなどの理由から、下流側斜面体４に用いられる本実施形態に係る保護パネル４０には、意匠性の高い図８に示すコンクリートパネルが採用されている。このコンクリートパネルは、厚さ150ｍｍの鉄筋コンクリート製の立面視横長な矩形（幅1495×高さ1020）の平板パネルであり、裏面の四隅付近に後述のアンカー材４４を掛け止めるフック４０ａが設置されている。
【００４１】
また、この保護パネル４０も、図１０、図７等に示すように、保護パネル３０と同様に、パネル同士の上端又は下端が揃って強度的な弱点ができないように、上下端が互い違いとなった馬貼り状に取り付けられている。
【００４２】
なお、保護パネルとして、表面（下流側となる側面）が滑面タイプのものを例示して説明したが、図９に示すように、さらに意匠性を向上させた石積み模様タイプの保護パネル４０’とすることもできる。また、前述の保護パネル３０と同じ鋼矢板などの屈曲加工されたスチールパネルとしてもよい。さらに、下流側に設置される保護パネルなので、河川による浸食等を考慮しなくてもよいため、排水性を高めるため多数の孔が設けられたエキスパンドパネルなどとすることもできる。
【００４３】
（支持アングル）
支持アングル４１は、防錆のため外表面に塗装が施された一般構造用圧延鋼材（SS400）からなる山形鋼（L-125×75×7）が三角形状に組み合わされた部材であり、保護パネル４０に沿った長さ480ｍｍの柱材４１ａと、基礎均しコンクリートＦ２に沿って取り付けられる長さ480ｍｍの底辺材４１ｂと、これら柱材４１ａと底辺材４１ｂとを繋ぐ長さ600ｍｍの斜材４１ｃなどから構成されている。また、図７に示すように、支持アングル４１は、底辺材４１ｂが基礎均しコンクリートＦ２にアンカーボルトで固定されることで、１段目の保護パネル４０を鉄筋コンクリート製の基礎均しコンクリートＦ２上に所定角度で据え付ける機能を有している。
【００４４】
（上下連結材）
上下連結材４２は、防錆のため外表面に塗装が施された一般構造用圧延鋼材（SS400）製の山形鋼（L-125×75×7）からなる、長さ810ｍｍの部材であり、図７に示すように、保護パネル４０の裏面に埋設されたインサートにボルト止めされることで、上下の保護パネル４０同士を連結する機能を有している。なお、インサートは、回転防止のためパネル毎に２か所ずつ埋設されている。
【００４５】
（左右連結材）
左右連結材であるペーシー４３は、防錆のため外表面に塗装が施された一般構造用圧延鋼材（SS400）からなる厚さ4.5ｍｍの平鋼（4.5×60×280）であり、図７に示すように、保護パネル４０の裏面に埋設されたインサートにボルト止めされることで、左右の保護パネル４０同士を連結する機能を有している。
【００４６】
（アンカー材）
アンカー材４４は、D16の異形鉄筋（SD295）からなり、両端に曲げ加工によりフックが形成されている部材である。このアンカー材４４は、一方のフックが保護パネル４０のフック４０ａに掛け止められ、他方のフックが充填材２内に挿置されることにより、保護パネル４０を充填材２に定着させて複数枚の保護パネル４０の連結体が外部（上流側）へ膨らむことを防止する機能を有している。
【００４７】
［ブラケット足場］
次に、図１１〜図１６を用いて本発明の実施形態に係る斜面構造物の構築方法に用いるブラケット足場について説明する。
【００４８】
図１１に示すように、実施形態に係るブラケット足場７は、ブラケット足場７を支持する複数の支持金具７０と、これら複数の支持金具７０間に架け渡されてクランプ固定された１条の単管パイプ７１と、この単管パイプ７１に所定間隔をおいて掛け止められた複数の足場ブラケット７２と、これら複数の足場ブラケット７２間に架け渡された足場板７３と、足場ブラケット７２の先端に垂設された複数の手摺支柱７４と、これら複数の手摺支柱７４間に架け渡された上下２段の手摺パイプ７５などから構成されている。
【００４９】
（支持金具）
支持金具７０は、図１２〜図１４に示すように、一般構造用圧延鋼材（SS400）製の山形鋼（L-125×125×12）からなる長さ100ｍｍ程度のアングルピースであり、ボルト周りを補強するため前述の堤冠材３４の天面の内側から下方へ向け垂設された平鋼板ＰＬを裏板として、アングルの一辺（一外面）が保護パネル３０の上端から少し間隔をあけた位置にボルト止めされている。
【００５０】
また、この支持金具７０のアングルの他辺の先端付近の上面には、固定クランプ７０ａが固着されており、この固定クランプ７０ａで後述の単管パイプ７１がクランプ固定されている。
【００５１】
（単管パイプ）
単管パイプ７１は、2.4ｍｍ厚の直径48.6ｍｍの一般構造用炭素鋼鋼管（STK500）からなる一般的な単管パイプであり、1.0ｍ〜6.0ｍ程度の長さの複数の単管パイプ７１が長手方向にジョイント等で継ぎ足されて、堤冠材３４に沿った１条の単管パイプが形成されている。
【００５２】
（足場ブラケット）
足場ブラケット７２は、図１５に示すように、一般構造用圧延鋼材（SS400）からなる山形鋼（L-65×65×6）が三角形状に組み合わされた部材であり、水平に延びる水平材７２ａと、この水平材７２ａの基端側から下方へ垂下する鉛直材７２ｂと、これら水平材７２ａと鉛直材７２ｂとを繋ぐ斜材７２ｃなどから構成されている。これらの水平材７２ａ、鉛直材７２ｂ、斜材７２ｃは、リベットにより互いに連結されてブラケットの基体を構成している。
【００５３】
この鉛直材７２ｂの上部には、単管パイプ７１に掛け止められるように、直径48.6ｍｍに応じたＵ字フック７２ｄが固着され、鉛直材７２ｂの下部には、保護パネル３０に当接して足場ブラケット７２の回転を阻止するための当て角材７２ｅが水平方向に突設されている。
【００５４】
また、水平材７２ａの先端上面には、手摺支柱７４を嵌着するための支柱連結ピン７２ｆが上方へ向け垂設されている。この支柱連結ピン７２ｆには、バネにより水平方向に引き出し後退自在なＪ字状の係止ピン７２ｇが装着されており、この係止ピン７２ｇを手摺支柱７４の下部に係止することで手摺支柱７４が不用意に脱落しないようになっている。
【００５５】
（足場板）
足場板７３は、めっき鋼板からなる幅240ｍｍ×厚さ40ｍｍ程度の長さ２ｍ〜４ｍの一般的な軽量長尺足場板であり、２ｍ程度の間隔をあけて単管パイプ７１に掛け止められた複数の足場ブラケット７２間に架け渡されて、足場として利用される（図１１参照）。
【００５６】
（手摺支柱）
手摺支柱７４は、図１６に示すように、2.4ｍｍ厚の直径42.7ｍｍの一般構造用炭素鋼鋼管（STK500）からなる一般的な手摺支柱であり、前述の支柱連結ピン７２ｆに嵌着されて使用される。手摺支柱７４には、上端付近と中央付近に自在クランプ７４ａがリベット接合されており、上下２段の手摺パイプ７５が取り付けられるようになっている。
【００５７】
（手摺パイプ）
手摺パイプ７５は、単管パイプ７１と同様の2.4ｍｍ厚の直径48.6ｍｍの一般構造用炭素鋼鋼管（STK500）からなる一般的な単管パイプであり、足場板７３上で作業をする作業員がブラケット足場７から落下するのを防止する落下防止用の柵としての機能を有している。
【００５８】
［斜面構造物の構築方法］
次に、図１７を用いて、本発明の実施形態に係る斜面構造物の構築方法について説明する。斜面構造物として前述の砂防堰堤１を築造する場合で説明する。
【００５９】
（１）基礎均しコンクリート打設工程
先ず、測量等で上流側斜面体３及び下流側斜面体４の位置を出し、仮枠を設置して、所定の異形鉄筋を配筋したうえ、その仮枠内にコンクリートを打設して、上流側斜面体３及び下流側斜面体４のぞれぞれの下方に前述の基礎均しコンクリートＦ１，Ｆ２を打設する。その後、仮枠を撤去する。
【００６０】
（２）保護パネル組立工程
次に、コンクリートＦ１，Ｆ２上に、アングル材３２や支持アングル４１をセットし、保護パネル３０，４０を馬貼り状に互い違いに並設して取り付け、上流側斜面体３及び下流側斜面体４の１段目を組み立てていく（図６、図１０参照）。このとき、保護パネル３０は、クレーンや重機でまとめて堤体１０の頂部付近に揚重した後は、軽量であるため作業員が人力で設置することができる。なお、保護パネル４０は重いため設計法勾配に合わせた吊り冶具やクレーン等の揚重装置を利用して設置する。
【００６１】
（３）充填材充填工程
次に、砂防堰堤１の築造現場とは、別ヤードで発生土砂と固化材とを混ぜ合わせた前述のソイルセメントからなる充填材２をダンプトラック等で搬入して、充填材２をアンカー材３５，４４の高さまで充填し、ブルドーザやバックホーなどで敷き均す。
【００６２】
（４）転圧工程
次に、敷き均した充填材２の上を振動ローラで走行したり、ブルドーザで走行したりして充填材２を転圧して締め固める。勿論、転圧機やランマ等で転圧してもよい。
【００６３】
（５）アンカー材設置工程
次に、転圧して締め固めた充填材２の上に、アンカー材３５，４４を載置（セット）し、一端を保護パネル３０，４０に取り付ける。
【００６４】
次に、上流側斜面体３及び下流側斜面体４の２段目、３段目という具合に、保護パネル組立工程→充填材充填工程→転圧工程→アンカー材設置工程を繰り返し、上流側斜面体３及び下流側斜面体４の最上段の保護パネル３０，４０を組み立てた後、充填材充填工程→転圧工程を行い、充填材２が硬化する養生期間を経た後次工程に移る。勿論、次工程以後にかかる作業時間（期間）を考慮して養生期間を省略することも可能である。
【００６５】
（６）支持金具固定工程
次に、並設された最上段の保護パネル３０の上端付近に横方向に間隔をあけて複数の支持金具７０を固定する。本実施形態に係る斜面構造物の構築方法の支持金具固定工程では、ボルト周りを補強するため前述の平鋼板ＰＬを裏板として、前述の支持金具７０のアングルの一辺を、保護パネル３０の上端から少し間隔をあけた位置にＭ１６のボルトによりボルト接合して固定する。
【００６６】
なお、支持金具７０は、保護パネル３０や平鋼板ＰＬにボルト止めするのではなく、堤冠材３４に掛け止めて（掛止して）固定するようにしてもよい。勿論、上流側斜面体３だけではなく、下流側斜面体４も同様の支持金具を保護パネル４０の上端に掛け止めたり、予め保護パネル４０にＭ１６等のボルトに対応する雌ねじをインサートで埋設したり、ボルト挿通用の貫通孔を設けたりして、支持金具７０とは別形態の支持金具を保護パネル４０に固定するようにしてもよい。
【００６７】
（７）単管パイプ架設工程
次に、保護パネル３０（４０）の上端に沿って複数の単管パイプ７１を一般的な単管パイプ用のジョイントを使って連接して行き、複数の支持金具７０間に架け渡して固定クランプ７０ａを用いて固定する。
【００６８】
（８）ブラケット足場仮設工程
次に、前工程において連接した単管パイプ７１にＵ字フック７２ｄを掛け止めて、横方向に所定間隔（２ｍ程度）おいて複数の足場ブラケット７２を設置して行く。そして、これらの足場ブラケット７２間に足場板７３を架け渡す。勿論、足場板７３は、２枚並べて設置してもよい。
【００６９】
その後、足場ブラケット７２の先端側に設けられた支柱連結ピン７２ｆに手摺支柱７４を嵌着し、この手摺支柱７４の自在クランプ７４ａに上下２段に亘る手摺パイプ７５を固定して落下防止用の手摺を設置する。
【００７０】
（９）型枠設置工程
次に、前工程で設置したブラケット足場７を利用して保護パネル３０（４０）の上端に沿って上方へ延伸する天端コンクリート５の型枠を設置する。なお、上流側斜面体３には、上面に平面を有する堤冠材３４が設置されているので、その堤冠材３４の平面に直角の角を有する型枠の設置作業を効率よく行うことができる。このため、型枠設置作業を短時間で行うことができる。
【００７１】
（１０）天端コンクリート打設工程
次に、前工程で設置した型枠内にコンクリートを打設して、充填材２の天端を雨水の浸食から保護する天端コンクリート５を構築する。
【００７２】
（１１）仮設材撤去工程
次に、天端コンクリート５の型枠、及びブラケット足場７などの仮設材を撤去して斜面構造物である砂防堰堤１の構築が終了する。
【００７３】
以上説明した本発明の実施形態に係る斜面構造物の構築方法によれば、上流側斜面体３（下流側斜面体４）の外側に、簡単で短時間でブラケット足場７を設置することができ、そのブラケット足場７を利用して天端コンクリート５の型枠を斜面の外側から保護パネル３０（４０）に沿って建て込むことができる。
【００７４】
また、天端コンクリート５のコンクリート打設時にもブラケット足場７をポンプ車の配管ルートや作業員の通路や作業スペースとして利用でき、打設したコンクリートの上に乗らずに均せるので、鏝を用いた天端コンクリート５の天端の均し作業も容易となる。また、ブラケット足場７を天端コンクリート５の打設後の養生シートを括り付ける先として使用することができ、天端コンクリート５の打設及び養生時の利便性が向上する。さらに、型枠の解体・搬出作業時にも通路や作業スペースとして利用でき、作業時間を短縮することができる。
【００７５】
よって、本発明の実施形態に係る斜面構造物の構築方法によれば、天端コンクリート５の型枠設置、コンクリートの打設、その型枠の撤去、及び足場や手摺の仮設資材の撤去の作業を極めて効率よく行うことができる。このため、砂防堰堤１の構築作業全体の作業時間を短縮して砂防堰堤１の設置費用を大幅に削減することができる。
【００７６】
その上、本発明の実施形態に係る斜面構造物の構築方法によれば、ブラケット足場７として落下防止用の手摺を設置するので、作業中の落下の危険が低減するだけでなく、足場ブラケット７２の先端側、即ち、天端コンクリート５の型枠を設置する側ではない側に落下防止用の手摺があるので、型枠を建て込む際に邪魔にならず、さらに型枠設置作業を効率よく行うことができる。
【００７７】
以上、本発明の実施形態に係る斜面構造物の構築方法及びその方法により構築された斜面構造物について詳細に説明したが、前述した又は図示した実施形態は、いずれも本発明を実施するにあたって具体化した一実施形態を示したものに過ぎず、これらによって本発明の技術的範囲が限定的に解釈されてはならないものである。
【００７８】
特に、斜面構造物として上流側斜面体と下流側斜面体の２つの斜面を有する斜面構造物を例に挙げて説明したが、河川の護岸の擁壁など、一方にのみ斜面を有する斜面構造物にも適用できる。
【００７９】
また、砂防堰堤を例に挙げたが、斜面構造物の用途も砂防等に限られず、その他の堰堤や擁壁等、様々な用途に適用することができる。要するに、少なくとも一面に斜面を有する斜面構造物には本発明を適用できるものである。
【符号の説明】
【００８０】
１                              ：砂防堰堤（斜面構造物）
１０                            ：堤体
１１                            ：越流部
２                              ：充填材
３                              ：上流側斜面体
３０                            ：保護パネル
３１                            ：基礎梁
３２                            ：アングル材
３３                            ：腹起し材
３４                            ：堤冠材
ＰＬ                            ：平鋼板
３５                            ：アンカー材
４                              ：下流側斜面体
４０，４０’                    ：保護パネル
４０ａ，４０ａ’                ：フック
４１                            ：支持アングル
４２                            ：上下連結材
４３                            ：ペーシー（左右連結材）
４４                            ：アンカー材
５                              ：天端コンクリート
７                              ：ブラケット足場
７０                            ：支持金具
７０ａ                          ：固定クランプ
７１                            ：単管パイプ
７２                            ：足場ブラケット
７２ｄ                          ：Ｕ字フック
７２ｅ                          ：当て角材
７２ｆ                          ：支柱連結ピン
７２ｇ                          ：係止ピン
７３                            ：足場板
７４                            ：手摺支柱
７４ａ                          ：自在クランプ
７５                            ：手摺パイプ
Ｆ１，Ｆ２                      ：基礎均しコンクリート
【図１】
0006463197.tif 000002
【図２】
0006463197.tif 000003
【図３】
0006463197.tif 000004
【図４】
0006463197.tif 000005
【図５】
0006463197.tif 000006
【図６】
0006463197.tif 000007
【図７】
0006463197.tif 000008
【図８】
0006463197.tif 000009
【図９】
0006463197.tif 000010
【図１０】
0006463197.tif 000011
【図１１】
0006463197.tif 000012
【図１２】
0006463197.tif 000013
【図１３】
0006463197.tif 000014
【図１４】
0006463197.tif 000015
【図１５】
0006463197.tif 000016
【図１６】
0006463197.tif 000017
【図１７】
0006463197.tif 000018